(57)【特許請求の範囲】
【請求項１】
通信システムにおける基地局装置（１１）であって、
基地局上位装置（１）から出力される情報に基づいて共通チャネルの設定を行う共通チャネル設定部（１２）と、
前記共通チャネル設定部での前記共通チャネルの設定の実績を通知する通知信号を前記基地局上位装置に出力する出力部（１５）と
を備える、基地局装置。
【請求項２】
通信システムにおける基地局装置（１１）であって、
基地局上位装置（１）から出力される複数種類の情報に基づいて複数種類の共通チャネルの設定を行う共通チャネル設定部（１２）と、
前記複数種類の情報のそれぞれについて前記基地局上位装置からの出力が必要であるか否かを判定する判定部（１２）と、
前記複数種類の情報のうち前記基地局上位装置からの出力が必要である情報の種類を通知する通知信号、あるいは前記複数種類の情報のうち前記基地局上位装置からの出力が不要である情報の種類を通知する通知信号を、前記基地局上位装置に出力する出力部（１５）と
を備える、基地局装置。
【請求項３】
通信システムにおいて基地局装置（１１）を制御する基地局上位装置（１）であって、
前記基地局装置が共通チャネルを設定する際に必要な情報を出力することが可能な出力部（５）と、
前記基地局装置から出力される、前記基地局装置での前記共通チャネルの設定の実績を通知する通知信号を受け付ける入力部（５）と
を備え、
前記通知信号が前記入力部で受け付けられると、前記情報は前記出力部から出力されない、基地局上位装置。
【請求項４】
通信システムにおいて基地局装置（１１）を制御する基地局上位装置（１）であって、
前記基地局装置が複数種類の共通チャネルを設定する際に必要な複数種類の情報を出力することが可能な出力部（５）と、
前記基地局装置から出力される、前記複数種類の情報のうち前記基地局上位装置からの出力が必要である情報の種類を通知する通知信号、あるいは前記複数種類の情報のうち前記基地局上位装置からの出力が不要である情報の種類を通知する通知信号を受け付ける入力部（５）と、
前記通知信号に基づいて前記複数種類の情報のそれぞれについて前記出力部から出力するか否かを個別に決定する出力決定部（２）と
を備える、基地局上位装置。
【請求項５】
基地局装置（１１）と、
前記基地局装置を制御する基地局上位装置（１）と
を備え、
前記基地局上位装置は、共通チャネルの設定に必要な情報を前記基地局装置に出力することが可能であって、
前記基地局装置は、前記情報に基づいて前記共通チャネルの設定を行うとともに、当該設定の実績を通知する通知信号を生成し、
前記基地局上位装置は、前記基地局装置から前記通知信号を受け取ると前記情報を出力しない、通信システム。
【請求項６】
基地局装置（１１）と、
前記基地局装置を制御する基地局上位装置（１）と
を備え、
前記基地局上位装置は、複数種類の共通チャネルの設定に必要な複数種類の情報を前記基地局装置に出力することが可能であって、
前記基地局装置は、
前記複数種類の情報に基づいて前記複数種類の共通チャネルの設定を行い、
前記複数種類の情報のそれぞれについて前記基地局上位装置からの出力が必要であるか否かを判定するとともに、前記複数種類の情報のうち前記基地局上位装置からの出力が必要である情報の種類を通知する通知信号、あるいは前記複数種類の情報のうち前記基地局上位装置からの出力が不要である情報の種類を通知する通知信号を生成し、
前記基地局上位装置は、前記基地局装置から前記通知信号を受け取ると、当該通知信号に基づいて前記複数種類の情報のそれぞれについて出力するか否かを個別に決定する、通信システム。
【発明の詳細な説明】
【技術分野】
【０００１】
本発明は、基地局装置と、基地局装置を制御する基地局上位装置と、基地局装置及び基地局上位装置を備える通信システムとに関する発明である。
【背景技術】
【０００２】
従来から通信システムに関して様々な技術が提案されている。例えば、非特許文献１〜４には、３ＧＰＰ（3rd Generation Partnership Project）と呼ばれるグループが提案するＷＣＤＭＡ（Wideband Code Division Multiple Access）方式の通信システムに関する技術が記載されている。【０００３】
また、非特許文献５，６にはＡＴＭ（Asynchronous Transfer Mode）に関する技術が記載されており、特許文献１〜３には、ＴＤＭＡ（Time Division Multiple Access）方式の通信システムやＣＤＭＡ方式の通信システムに関する技術が開示されている。【０００４】
【非特許文献１】3GPP TS 25.402 V6.3.0, 2006.6
【非特許文献２】3GPP TS 25.433 V6.8.0, 2005.12
【非特許文献３】3GPP TS 25.401 V6.7.0, 2005.10
【非特許文献４】3GPP TS 25.931 V7.0.0, 2006.3
【非特許文献５】ITU-T Recommendation Q2630.1
【非特許文献６】ITU-T Recommendation Q2631.1
【特許文献１】特開２００２−１０３４８号公報
【特許文献２】特開２００４−２３５７２５号公報
【特許文献３】特開２００４−２２１７１９号公報
【０００５】
従来の通信システムにおいては、例えば、保守作業などの際に基地局装置と、当該基地局装置を制御する基地局上位装置との間でリンクが一度切断され、その後、基地局装置と基地局上位装置との間でリンクが再度確立すると、上り方向や下り方向の共通チャネルの設定を行うために、基地局装置と基地局上位装置との間で多くの回数の情報の受け渡しを行う必要があり、システムの再起動に時間を要していた。
【発明の開示】
【０００６】
本発明では、上記のような問題点を解決し、共通チャネルの設定に関する基地局装置と基地局上位装置との間での情報の受け渡し回数を低減することが可能な技術を提供することを目的とする。
【０００７】
本発明に係る第１の基地局装置は、通信システムにおける基地局装置であって、基地局上位装置から出力される情報に基づいて共通チャネルの設定を行う共通チャネル設定部と、前記共通チャネル設定部での前記共通チャネルの設定の実績を通知する通知信号を前記基地局上位装置に出力する出力部とを備える。
【０００８】
本発明に係る第２の基地局装置は、通信システムにおける基地局装置であって、基地局上位装置から出力される複数種類の情報に基づいて複数種類の共通チャネルの設定を行う共通チャネル設定部と、前記複数種類の情報のそれぞれについて前記基地局上位装置からの出力が必要であるか否かを判定する判定部と、前記複数種類の情報のうち前記基地局上位装置からの出力が必要である情報の種類を通知する通知信号、あるいは前記複数種類の情報のうち前記基地局上位装置からの出力が不要である情報の種類を通知する通知信号を、前記基地局上位装置に出力する出力部とを備える。
【０００９】
本発明に係る第１の基地局上位装置は、通信システムにおいて基地局装置を制御する基地局上位装置であって、前記基地局装置が共通チャネルを設定する際に必要な情報を出力することが可能な出力部と、前記基地局装置から出力される、前記基地局装置での前記共通チャネルの設定の実績を通知する通知信号を受け付ける入力部とを備え、前記通知信号が前記入力部で受け付けられると、前記情報は前記出力部から出力されない。
【００１０】
本発明に係る第２の基地局上位装置は、通信システムにおいて基地局装置を制御する基地局上位装置であって、前記基地局装置が複数種類の共通チャネルを設定する際に必要な複数種類の情報を出力することが可能な出力部と、前記基地局装置から出力される、前記複数種類の情報のうち前記基地局上位装置からの出力が必要である情報の種類を通知する通知信号、あるいは前記複数種類の情報のうち前記基地局上位装置からの出力が不要である情報の種類を通知する通知信号を受け付ける入力部と、前記通知信号に基づいて前記複数種類の情報のそれぞれについて前記出力部から出力するか否かを個別に決定する出力決定部とを備える。
【００１１】
本発明に係る第１の通信システムは、基地局装置と、前記基地局装置を制御する基地局上位装置とを備え、前記基地局上位装置は、共通チャネルの設定に必要な情報を前記基地局装置に出力することが可能であって、前記基地局装置は、前記情報に基づいて前記共通チャネルの設定を行うとともに、当該設定の実績を通知する通知信号を生成し、前記基地局上位装置は、前記基地局装置から前記通知信号を受け取ると前記情報を出力しない。
【００１２】
本発明に係る第２の通信システムは、基地局装置と、前記基地局装置を制御する基地局上位装置とを備え、前記基地局上位装置は、複数種類の共通チャネルの設定に必要な複数種類の情報を前記基地局装置に出力することが可能であって、前記基地局装置は、前記複数種類の情報に基づいて前記複数種類の共通チャネルの設定を行い、前記複数種類の情報のそれぞれについて前記基地局上位装置からの出力が必要であるか否かを判定するとともに、前記複数種類の情報のうち前記基地局上位装置からの出力が必要である情報の種類を通知する通知信号、あるいは前記複数種類の情報のうち前記基地局上位装置からの出力が不要である情報の種類を通知する通知信号を生成し、前記基地局上位装置は、前記基地局装置から前記通知信号を受け取ると、当該通知信号に基づいて前記複数種類の情報のそれぞれについて出力するか否かを個別に決定する。
【００１３】
本発明に係る第１の基地局装置によれば、基地局装置での共通チャネルの設定の実績を通知する通知信号が基地局上位装置に出力されるため、基地局上位装置は、基地局装置での共通チャネルの設定に必要な情報を出力する必要がなくなる。したがって、共通チャネル設定に関する基地局装置と基地局上位装置との間の情報の受け渡し回数を低減することができる。よって、基地局装置と基地局上位装置との間の通信負荷が低減する。
【００１４】
本発明に係る第２の基地局装置によれば、共通チャネルの設定に必要な複数種類の情報のうち基地局上位装置からの出力が必要である情報の種類を通知する通知信号、あるいは当該複数種類の情報のうち基地局上位装置からの出力が不要である情報の種類を通知する通知信号が基地局上位装置に出力されるため、基地局上位装置は、共通チャネル設定に必要な複数種類の情報のうち、基地局装置側で実際に必要とされている情報のみを出力することが可能となる。そのため、共通チャネル設定に関する基地局装置と基地局上位装置との間の情報の受け渡し回数を低減することができる。よって、基地局装置と基地局上位装置との間の通信負荷が低減する。
【００１５】
本発明に係る第１の基地局上位装置及び第１の通信システムによれば、基地局装置での共通チャネルの設定の実績を通知する通知信号が基地局上位装置に入力されると、基地局上位装置からは、基地局装置での共通チャネルの設定に必要な情報は出力されない。したがって、共通チャネル設定に関する基地局装置と基地局上位装置との間の情報の受け渡し回数を低減することができる。よって、基地局装置と基地局上位装置との間の通信負荷が低減する。
【００１６】
本発明に係る第２の基地局上位装置及び第２の通信システムによれば、基地局装置から出力される、共通チャネルの設定に必要な複数種類の情報のうち基地局上位装置からの出力が必要である情報の種類を通知する通知信号、あるいは当該複数種類の情報のうち基地局上位装置からの出力が不要である情報の種類を通知する通知信号に基づいて、基地局上位装置では、当該複数種類の情報のそれぞれについて出力するか否かが個別に判定されている。そのため、共通チャネル設定に必要な複数種類の情報のうち、基地局装置側で実際に必要とされている情報のみを基地局装置に入力することが可能となる。よって、共通チャネル設定に関する基地局装置と基地局上位装置との間の情報の受け渡し回数を低減することができる。その結果、基地局装置と基地局上位装置との間の通信負荷が低減する。
【００１７】
この発明の目的、特徴、局面、および利点は、以下の詳細な説明と添付図面とによって、より明白となる。
【図面の簡単な説明】
【００１８】
【図１】本発明の実施の形態１に係る通信システムの構成を示すブロック図である。
【図２】本発明の実施の形態１に係る通信システムの動作シーケンスを示す図である。
【図３】本発明の実施の形態２に係る通信システムの動作シーケンスを示す図である。
【図４】本発明の実施の形態２に係る通信システムの動作シーケンスを示す図である。
【発明を実施するための最良の形態】
【００１９】
実施の形態１．
図１は本発明の実施の形態１に係る通信システムの構成を示すブロック図である。本実施の形態１に係る通信システムは、例えば、３ＧＰＰと呼ばれるグループが提案するＷＣＤＭＡ方式の通信システムであって、上記非特許文献１〜４等の技術仕様書に従って設計されている。【００２０】
図１に示されるように、本実施の形態１に係る通信システムは、３ＧＰＰ仕様においてノードＢと呼ばれる基地局装置１１と、同じく３ＧＰＰ仕様のおいてＲＮＣ（Radio Network Controller）と呼ばれる基地局上位装置１とを備えている。基地局装置１１は移動機２１と無線通信を行い、基地局上位装置１は基地局装置１１を制御する。基地局上位装置１と基地局装置１１とは有線で接続されている。一般的に、一つの基地局上位装置１には複数の基地局装置１１が接続され、基地局装置１１が小型であれば１０００台以上の基地局装置１１が基地局上位装置１に接続される。【００２１】
基地局上位装置１では、立ち上げ処理部２が送信信号の生成を行う。例えば、基地局装置１１で行われる共通チャネルの設定に必要な情報を含む信号が生成される。このとき、タイマ６を用いて送信信号の送信タイミングが決定される。立ち上げ処理部２で生成された送信信号は、信号送信部３でＣＲＣ（Cyclic Redundancy Check）符号化等のシステムで規定されているフレーミング処理が実行され、有線Ｉ／Ｆ部５に入力される。有線Ｉ／Ｆ部５は、入力された送信信号を、サポートしている通信プロトコルに適合するように伝送処理を行い、その後基地局装置１１に送信する。本実施の形態１では、基地局上位装置１と基地局装置１１とは、例えば、ＡＴＭにおけるＡＬＣＡＰ（Access Link Control Application Part）プロトコルを用いて有線通信を行う。したがって、有線Ｉ／Ｆ部５と、後述の基地局装置１１の有線Ｉ／Ｆ部１５は、ＡＬＣＡＰプロトコルに対応している。なお、本実施の形態１では、基地局上位装置１と基地局装置１１とをＡＴＭで接続しているが、ＩＰ（Internet Protcol）で接続しても良い。【００２２】
また、基地局上位装置１では、有線Ｉ／Ｆ部５を通じて入力される、基地局装置１１からの信号に対して信号受信部４でデフレーミング処理を行い、当該信号は立ち上げ処理部２に入力される。立ち上げ処理部２は、入力された基地局装置１１からの信号を解析し、当該信号に応じて所定の処理を実行する。【００２３】
基地局装置１１では、基地局上位装置１から出力される信号を有線Ｉ／Ｆ部１５で受信する。有線Ｉ／Ｆ部１５で受信された信号は、信号受信部１３でデフレーミング処理が行われ、その後立ち上げ処理部１２に入力される。立ち上げ処理部１２では、入力された信号の解析や、基地局上位装置１に送る信号の生成が行われる。また、立ち上げ処理部１２は、後述する無線部１６に対して無線リソースを確保する指令を通知する。さらに、立ち上げ処理部１２は、移動機２１への送信信号を生成したり、移動機２１からの受信信号を信号送信部１４へ伝送する。そして、立ち上げ処理部１２は、後述するように、上り回線や下り回線の共通チャネルの設定を行う共通チャネル設定部として機能する。無線部１６は、立ち上げ処理部１２で生成された移動機２１への送信信号を変調し、その後送信周波数まで周波数変換して電力増幅し、当該送信信号を所定の周波数でアンテナ１７を通じて送出する。基地局装置１１から送出された信号は移動機２１のアンテナ２２で受信される。【００２４】
一方で、移動機２１のアンテナ２２から出力された信号は、アンテナ１７を通じて無線部１６に入力される。無線部１６は、入力された信号を所定の低い周波数にまで周波数変換し、その後復調して、立ち上げ処理部１２に入力する。移動機２１から受信した信号、及び基地局上位装置１に送る信号は、信号送信部１４でフレーミング処理されて、有線Ｉ／Ｆ部１５から基地局上位装置１に送出される。【００２５】
次に、本実施の形態１に係る通信システムの立ち上げ処理について説明する。図２は立ち上げ処理時の基地局上位装置１と基地局装置１１の動作シーケンスを示す図である。なお、図２を参照して説明する以下の処理は、基地局上位装置１が複数の基地局装置１１を管理する場合には、それぞれの基地局装置１１と基地局上位装置１との間で行われる。【００２６】
図２に示されるように、基地局上位装置１は、電源ＯＮの状態から電源ＯＦＦとなり再度電源ＯＮとなると、あるいは電源ＯＮの状態のままでリセットされると、基地局装置１１との間でのＡＴＭリンク（またはＩＰリンク）を確立するための通信路設定パス接続確認信号を立ち上げ処理部２で生成し、基地局装置１に出力する。基地局装置１１は、立ち上げ処理部１２に通信路設定パス接続確認信号が入力されると、当該通信路設定パス接続確認信号を受け取った旨を示す応答信号を立ち上げ処理部１２で生成して出力する。そして、基地局上位装置１の立ち上げ処理部２には当該応答信号が入力される。これにより、基地局上位装置１の立ち上げ処理部２及び基地局装置１１の立ち上げ処理部１２のそれぞれは、両装置間のＡＴＭリンク（またはＩＰリンク）が確立したことを検出することができる。【００２７】
一方で、基地局装置１１は、電源ＯＮの状態から電源ＯＦＦとなり再度電源ＯＮとなると、あるいは電源ＯＮの状態でリセットされると、立ち上げ処理部１２で通信路設定パス接続確認信号を生成し、基地局上位装置１に出力する。基地局上位装置１は、立ち上げ処理部２に通信路設定パス接続確認信号が入力されると、立ち上げ処理部２で応答信号を生成して出力する。そして、基地局装置１１の立ち上げ処理部１２には当該応答信号が入力される。これにより、基地局上位装置１の立ち上げ処理部２と基地局装置１１の立ち上げ処理部１２のそれぞれは、両装置間のＡＴＭリンク（またはＩＰリンク）が確立したことを検出することができる。【００２８】
なお、基地局上位装置１と基地局装置１１との両方が新たに電源ＯＮとなった場合、あるいはリセットされた場合には、両装置から通信路設定パス接続確認信号が出力され、両装置から応答信号が出力される。【００２９】
基地局上位装置１は、新たに電源ＯＮあるいはリセットされた後に基地局装置１１とのリンクが確立すると、当該基地局装置１１に対して３ＧＰＰ仕様に関する設定を初期化する命令を通知するシステム再開制御信号を立ち上げ処理部２で生成し、基地局装置１１に出力する。基地局装置１１は、立ち上げ処理部１２にシステム再開制御信号が入力されると、立ち上げ処理部１２で３ＧＰＰ仕様に関する設定を初期化して、当該初期化が完了した旨を示す基地局起動通知信号を立ち上げ処理部１２で生成し、基地局上位装置１に出力する。【００３０】
なお、基地局装置１１は、基地局上位装置１からシステム再開制御信号を受け取ることなく、自主的に基地局起動通知信号を生成して出力することがある。例えば、基地局装置１１だけが新たに電源ＯＮされ、あるいはリセットされた場合には、基地局装置１１は、基地局上位装置１とのリンクが再度確立した後に、３ＧＰＰ仕様に関する設定を初期化し、基地局起動通知信号を基地局上位装置１に出力する。また、基地局装置１１は、基地局上位装置１のリンクが確立した後に、当該基地局上位装置１との間のルータの回線が切断されたことを検出すると、３ＧＰＰ仕様に関する設定を初期化し、基地局起動通知信号を基地局上位装置１に出力する。基地局装置１１は、定期的に所定の信号を基地局上位装置１に出力し、その信号に対する応答信号が基地局上位装置１から一定時間返ってこない場合には、ルータの回線が切断していると判断することができる。【００３１】
基地局装置１１は、基地局起動通知信号を出力すると、自身と基地局上位装置１との間での同期設定が必要か否かを立ち上げ処理部１２で判定し、必要である場合にはその旨を通知する同期設定通知信号を立ち上げ処理部１２で生成する。基地局装置１１内で高精度なクロック信号を得ることができ、かつ、基地局装置１１と基地局上位装置１との間のルータの回線が切断され両装置ともにリセットされずに動作し続けている場合には、基地局装置１１と基地局上位装置１との同期は確保されていることから、この場合には、基地局装置１１と基地局上位装置１との間の同期設定は不要であると判定できる。基地局装置１１内で高精度なクロック信号を得ることができる場合としては、基地局装置１１内に、高精度のクロック源を有している場合やＧＰＳ受信機を有している場合、あるいはＡＴＭ（またはＩＰ）に対応した基地局上位装置１の有線Ｉ／Ｆ部１５から送られてくる信号から精度の高いクロック信号を抽出することができる場合がある。基地局装置１１は、立ち上げ処理部１２で同期設定通知信号を生成すると、当該同期設定通知信号を有線Ｉ／Ｆ部１５から基地局上位装置１に出力する。【００３２】
また、基地局装置１１は、立ち上げ処理時における共通チャネルの設定の実績があるかどうかを立ち上げ処理部１２で判断し、当該実績がある場合にはその旨を通知する実績通知信号を立ち上げ処理部１２で生成する。そして、基地局装置１１は、生成した実績通知信号を有線Ｉ／Ｆ部１５から基地局上位装置１に出力する。つまり、有線Ｉ／Ｆ部１５は実績通知信号を出力する出力部として機能する。これにより、基地局上位装置１は、基地局装置１１での共通チャネルの設定実績を把握することができ、共通チャネル設定に必要な情報を出力する必要がなくなる。その結果、共通チャネルの設定に関する基地局装置と基地局上位装置との間での情報の受け渡し回数を低減することができる。【００３３】
基地局上位装置１は、基地局装置１１から基地局起動通知信号を受け取ると、立ち上げ処理部２で基地局装置１１との同期設定が必要であるか否かを判定する。具体的には、立ち上げ処理部２は、タイマ６を使用して所定時間内に同期設定通知信号を受信するかどうかを確認し、所定時間内に同期設定通知信号を受信すれば基地局装置１１との同期設定が不要であると判定し、受信しなければ基地局装置１１との同期設定が必要であると判定する。これにより、同期設定通知信号をサポートしていない古い基地局装置１１と、当該信号をサポートしている、本実施の形態１の基地局装置１１との両方に基地局上位装置１が対応することが可能となり、既存システムへの影響を最小限に抑えることができ、システム構築の柔軟性が向上する。【００３４】
基地局上位装置１は、基地局装置１１との同期設定が必要であると判定すると、基地局装置１１との間で、上記非特許文献１に記載されている、“RNC-Node B Node Synchronization Procedure”と呼ばれる手順（以後、「ノード同期手順」と呼ぶ）を実行して基地局装置１１との同期を取る。この手順においては、基地局上位装置１は、パラメータＴ１を含む所定の制御フレームを基地局装置１１に送信し、当該制御フレームを受信した基地局装置１１は、パラメータＴ２，Ｔ３を含む所定の制御フレームを基地局上位装置１に送信する。ここで、パラメータＴ１は、それを含む制御フレームが基地局上位装置１から送信されるタイミングを示している。また、パラメータＴ２は、パラメータＴ１を含む制御フレームが基地局装置１１で受信されるタイミングを示し、パラメータＴ３は、それを含む制御フレームが基地局装置１１から送信されるタイミングを示している。これにより、基地局上位装置１は、ラウンドトリップディレイを取得することができ、基地局装置１１との同期を取ることができる。【００３５】
一方で、基地局上位装置１は、基地局装置１１との同期設定が不要であると判定すると、上述のノード同期手順を省略して、次の処理を実行する。【００３６】
基地局上位装置１は、ノード同期手順を実行すると、あるいは当該手順を省略すると、基地局装置１１に対して、共通チャネルの設定に必要な情報を出力する必要があるか否かを立ち上げ処理部２で判定する。具体的には、立ち上げ処理部２は、タイマ６を使用して、所定時間内に実績通知信号を受信するかどうかを確認し、所定時間内に実績通知信号を受信すれば、基地局装置１１に対して共通チャネルの設定に必要な情報を出力する必要があると判定し、受信しなければ不要であると判定する。これにより、同期設定通知信号の場合と同様に、実績通知信号をサポートしていない古い基地局装置１１と、当該信号をサポートしている、本実施の形態１の基地局装置１１との両方に基地局上位装置１が対応することが可能となり、既存システムへの影響を最小限に抑えることができ、システム構築の柔軟性が向上する。【００３７】
なお、基地局上位装置１は、システム仕様の変更などの理由で、基地局装置１１と新たに同期を取る必要があるとき、または基地局装置１１に対して新たに共通チャネルの設定に必要な情報を出力する必要がある場合には、基地局装置１１から同期設定通知信号や実績通知信号を受信したとしても、当該信号を受け付けずに、基地局装置１１との同期設定が必要であると判定し、また共通チャネルの設定に必要な情報を出力する必要があると判定する。【００３８】
基地局上位装置１は、基地局装置１１に対して共通チャネル設定に必要な情報を出力すべきと判定すると、当該情報を含む各種メッセージを立ち上げ処理部２で生成して基地局装置１１に出力し、基地局装置１１は、立ち上げ処理部１２で当該情報に基づいて共通チャネルの設定を行う。以下に、立ち上げ処理時の共通チャネル設定の手順について具体的に説明する。なお、以下に登場する各種メッセージについては上記非特許文献２〜４に記載されている。【００３９】
基地局上位装置１は、まず、Cell Setup Requestメッセージを基地局装置１１に出力する。基地局装置１１は、受け取ったCell Setup Requestメッセージに基づいてセルの構築に必要な共通チャネルの設定を行う。【００４０】
Cell Setup Requestメッセージには、例えば、物理チャネルにおける下り方向の共通チャネルであるプライマリーＣＰＩＣＨ（Common Pilot Channel）の設定に必要な情報が含まれている。具体的には、プライマリーＣＰＩＣＨで送信する、セルを識別するコードのPrimary Scrambling codeやフレームタイミング、あるいはチャネル送信電力値やチャネル送信周波数などが、Cell Setup Requestメッセージには含まれている。基地局装置１１は、これらの情報に従って、プライマリーＣＰＩＣＨ等の対象の共通チャネルにおける送信電力や送信周波数等を設定して、新たにセルを構築する。そして、基地局装置１１は、セルの構築が完成すると、その旨を通知するCell Setup Responseメッセージを立ち上げ処理部１２で生成して基地局上位装置１に出力する。【００４１】
次に、基地局上位装置１は、ＦＡＣＨ（Forword Access Channel）及びＰＣＨ（Paging Channel）に関するCommon Transport Channel Setup Requestメッセージを基地局装置１１に出力する。ＦＡＣＨ及びＰＣＨは、ともにトランスポートチャネルにおける下り方向の共通チャネルである。基地局装置１１は、受け取ったCommon Transport Channel Setup Requestメッセージに基づいて、ＮＢＡＰ（Node B Application Part）プロトコルに関するＦＡＣＨ及びＰＣＨの設定を行う。【００４２】
Common Transport Channel Setup Requestメッセージには、設定対象の共通チャネルのデータサイズや、当該チャネルで実際に送信する制御情報、あるいは当該チャネルを符号化する際に使用される拡散コードなど、ＮＢＡＰプロトコルに関する共通チャネルの設定に必要な情報が含まれている。基地局装置１１は、当該情報に基づいて、設定対象の共通チャネル、ここではＦＡＣＨ及びＰＣＨにおけるデータサイズ等の設定を行い、当該設定が完了すると、その旨を通知するCommon Transport Channel Setup Responseメッセージを立ち上げ処理部１２で生成して基地局上位装置１に出力する。【００４３】
次に、基地局上位装置１は、ＰＣＨに関するALCAP Establish Requestメッセージを出力する。基地局装置１１は、受け取ったALCAP Establish Requestメッセージに基づいて、ＡＬＣＡＰプロトコルに関するＰＣＨの設定を行う。【００４４】
ALCAP Establish Requestメッセージには、設定対象の共通チャネルに個別に割り当てられたBinding IDや当該共通チャネルの通信品質に関する情報など、ＡＬＣＡＰプロトコルに関する共通チャネルの設定に必要な情報が含まれている。基地局装置１１は、当該情報に基づいて、設定対象の共通チャネル、ここではＰＣＨにおけるBinding IDの割り当て等を行い、当該共通チャネルの設定が完了すると、その旨を通知するALCAP Establish Confirmメッセージを立ち上げ処理部１２で生成して基地局上位装置１に出力する。これにより、ＰＣＨに対するルート設定が完了し、ＰＣＨに関して、ユーザ情報を伝送するＵプレーンでの信号の送受信が可能となる。【００４５】
次に、基地局上位装置１は、ＦＡＣＨ１に関するALCAP Establish Requestメッセージを出力する。基地局装置１１は、受け取ったALCAP Establish Requestメッセージに基づいて、ＰＣＨの場合と同様に、ＡＬＣＡＰプロトコルに関するＦＡＣＨ１の設定を行う。基地局装置１１は、ＦＡＣＨ１の設定が完了すると、その旨を通知するALCAP Establish Confirmメッセージを基地局上位装置１に出力する。これにより、ＦＡＣＨ１に対するルート設定が完了し、ＦＡＣＨ１に関しても、ユーザ情報を伝送するＵプレーンでの信号の送受信が可能となる。【００４６】
次に、基地局上位装置１は、ＦＡＣＨ２に関するALCAP Establish Requestメッセージを出力する。基地局装置１１は、受け取ったALCAP Establish Requestメッセージに基づいて、ＰＣＨ等の場合と同様に、ＡＬＣＡＰプロトコルに関するＦＡＣＨ２の設定を行う。基地局装置１１は、設定が完了すると、その旨を通知するALCAP Establish Confirmメッセージを基地局上位装置１に出力する。これにより、ＦＡＣＨ２に対するルート設定が完了し、ＦＡＣＨ２に関しても、ユーザ情報を伝送するＵプレーンでの信号の送受信が可能となる。【００４７】
次に、基地局上位装置１は、ＲＡＣＨ（Random Access Channel）に関するCommon Transport Channel Setup Requestメッセージを基地局装置１１に出力する。ＲＡＣＨは、トランスポートチャネルにおける上り方向の共通チャネルである。基地局装置１１は、ＦＡＣＨ及びＰＣＨの場合と同様に、受け取ったCommon Transport Channel Setup Requestメッセージに基づいて、ＮＢＡＰプロトコルに関するＲＡＣＨの設定を行う。そして、基地局装置１１は、当該設定が完了すると、その旨を通知するCommon Transport Channel Setup Responseメッセージを基地局上位装置１に出力する。【００４８】
次に、基地局上位装置１は、ＲＡＣＨに関するALCAP Establish Requestメッセージを出力する。基地局装置１１は、受け取ったALCAP Establish Requestメッセージに基づいて、ＰＣＨ等の場合と同様に、ＡＬＣＡＰプロトコルに関するＲＡＣＨの設定を行う。基地局装置１１は、設定が完了すると、その旨を通知するALCAP Establish Confirmメッセージを基地局上位装置１に出力する。これにより、ＲＡＣＨに対するルート設定が完了し、ＲＡＣＨに関して、ユーザ情報を伝送するＵプレーンでの信号の送受信が可能となる。【００４９】
次に、基地局上位装置１は、System Infomation Update Requestメッセージを出力する。基地局装置１１は、受け取ったSystem Infomation Update Requestメッセージに基づいてＢＣＨ（Broadcast Channel）の設定を行う。ＢＣＨはトランスポートチャネルにおける下り方向の共通チャネルである。【００５０】
System Infomation Update Requestメッセージには報知情報が含まれており、基地局装置１１は当該報知情報を新たな報知情報としてＢＣＨに設定する。そして、基地局装置１１は、ＢＣＨの設定が完了すると、System Infomation Update Responseメッセージを立ち上げ処理部１２で生成して基地局上位装置１に出力する。【００５１】
以上の立ち上げ処理時における共通チャネル設定の手順は、一つの基地局装置１１が管理するセルの数と同じ回数繰り返して行われる。つまり、一つのセクタに割り当てられた周波数の種類の数と、一つの基地局装置１１が管理するセクタの数とを掛け合わせて得られる数と同じ回数行われる。したがって、セル数が多くなるにつれて、上記の共通チャネル設定に関する基地局装置１１と基地局上位装置１との間での情報の受け渡し回数は多くなる。【００５２】
基地局上位装置１は、一番最後のセルに関するSystem Infomation Update Requestメッセージを出力する際には、当該System Infomation Update Requestメッセージの報知情報に、基地局装置１１と移動機２１との通信規制を解除する命令を含ませる。基地局装置１１では、基地局上位装置１からシステム再開制御信号が通知されて３ＧＰＰ仕様に関する設定を初期化した際には、あるいは自主的に３ＧＰＰ仕様に関する設定を初期化した際には、移動機２１との通信が規制されるようになる。そして、基地局装置１１は、基地局上位装置１から規制解除命令を含むSystem Infomation Update Requestメッセージを受信すると、移動機２１に対して、規制解除を通知する情報をＢＣＨで送信するとともにＣＰＩＣＨを送信する。これにより、移動機２１は基地局装置１１の位置登録が可能となり、基地局装置１１との通信を再開することができる。その後、基地局装置１１はＦＡＣＨやＰＣＨ等の共通チャネルの設定情報を記憶する。基地局装置１１は、その内部に不揮発性メモリを有しており当該不揮発性メモリに共通チャネルの設定情報を記憶する。これにより、基地局装置１１は共通チャネルの設定実績ありの状態となり、以後、基地局装置１１は、新たに基地局起動通知信号を出力した後は必ず実績通知信号を出力することになる。【００５３】
次に、基地局上位装置１が基地局装置１１に対して共通チャネルの設定に必要な情報を出力する必要がないと判定した場合の動作シーケンスについて説明する。基地局上位装置１は、共通チャネル設定に必要な情報の出力が不要であると判定すると、Cell Setup RequestメッセージやCommon Transport Channel Setup Requestメッセージなどの、ＢＣＨを除く共通チャネルの設定に必要な情報の出力を実行せずに、上述のSystem Infomation Update Requestメッセージをセル数と同じ回数基地局装置１１に出力する。つまり、この場合には、基地局上位装置１からのCell Setup Requestメッセージの出力から、基地局装置１１からのＲＡＣＨに関するALCAP Establish Confirmメッセージの出力までの一連の動作シーケンスは実行されない。以後、当該一連の動作シーケンスを「共通チャネル設定シーケンス」と呼ぶ。【００５４】
基地局上位装置１は、一番最後のセルに関するSystem Infomation Update Requestメッセージを出力する際には、上述のように、当該System Infomation Update Requestメッセージの報知情報に、基地局装置１１と移動機２１との通信規制を解除する命令を含ませる。【００５５】
基地局装置１１は、System Infomation Update Requestメッセージを受け取ると、上記と同様に、受け取ったSystem Infomation Update Requestメッセージに基づいてＢＣＨの設定を行い、設定が完了すると、System Infomation Update Responseメッセージを基地局上位装置１に出力する。そして、基地局装置１１は、基地局上位装置１から規制解除命令を含むSystem Infomation Update Requestメッセージを受信すると、移動機２１に対して、規制解除を通知する情報をＢＣＨで送信するとともにＣＰＩＣＨを送信する。これにより、移動機２１は基地局装置１１の位置登録が可能となり、基地局装置１１との通信を再開することができる。【００５６】
なお、基地局装置１１は、実績通知信号を出力しない場合、つまり共通チャネルの設定実績ありと判定した場合には、現在記憶している共通チャネルの設定情報を利用して、立ち上げ処理時に設定する必要がある、ＢＣＨを除く共通チャネル（ＦＡＣＨやＰＣＨなど）を設定する。【００５７】
本実施の形態１では、実績通知信号を他の信号とは別に基地局上位装置１に通知しているが、他の情報を通知する信号を利用して基地局上位装置１に通知してもよい。以下にこの場合の複数の例について説明する。【００５８】
通常、基地局装置１１におけるソフトウェアやハードウェアのバージョンを基地局上位装置１で管理するために、基地局装置１１のバージョン情報をＡＴＭリンク（またはＩＰリンク）確立後に基地局装置１１から基地局上位装置１に通知することがあるが、そのバージョン情報を示す信号を構成する複数ビットの未使用ビットを利用して実績通知信号を基地局上位装置１に通知しても良い。例えば、バージョン情報を示す信号が８ビットのデータで構成されており、その最上位ビットが使用されておらず、当該最上位ビットを“１”に設定することで実績通知信号を表現するとすると、通知するバージョン番号が“５”のときには、“１００００１０１”を基地局上位装置１に送信することによって、バージョン情報とともに実績通知信号も基地局上位装置１に通知することができる。【００５９】
また、基地局装置１１において立ち上げ処理時の共通チャネルの設定実績がある場合には、基地局上位装置１に基地局装置１１のバージョン情報を通知する必要がない場合がある。この場合には、共通チャネル設定の実績が無いときには従来通りの方法でバージョン情報を通知し、共通チャネル設定の実績があるときには、本来はバージョン情報を示す信号を利用して、バージョン情報は通知せずに実績通知信号だけを通知しても良い。例えば、バージョン情報を示す信号が８ビットのデータで構成されているとすると、当該８ビットのデータすべてを利用して実績通知信号を表現する。具体的には、当該８ビットのデータを、バージョンが更新されたとしてもその番号が取り得ることのない十分大きな値、例えば“１１１１１１１１”に設定し、当該“１１１１１１１１”のデータを実績通知信号として基地局上位装置１に通知する。なお、基地局装置１１のバージョン情報は、上述の基地局起動通知信号に含められて送信されることもある。【００６０】
また、他の例としては、基地局装置１１の能力、例えば、ＨＳＤＰＡ（High Speed Downlink Packet Access）に対応しているか否か、モデム部分の規模（対応可能なＩＦＦＴ／ＦＦＴの段数及び対応可能な拡散率）に関する情報もＡＴＭリンク（またはＩＰリンク）確立後に基地局装置１１から基地局上位装置１に送信することがあるが、当該情報を示す信号を構成する複数ビットの未使用ビットを利用して実績通知信号を基地局上位装置１に通知しても良い。具体的には、上記非特許文献２に記載されている、Resource Status Indicationメッセージを構成する信号の空きビットで実績通知信号を表現しても良い。【００６１】
また、他の例としては、基地局装置１１内のリソースの使用状態を確認し、当該リソースに故障等がないかのチェックを行う処理が行われることがあるが、その際に使用される信号の未使用ビットを利用して実績通知信号を基地局上位装置１に通知しても良い。具体的には、上記非特許文献２に記載されている、Audit Required Indicationメッセージや、Audit Responseメッセージを構成する信号の空きビットで実績通知信号を表現しても良い。【００６２】
なお、同期設定通知信号についても同様であり、他の情報を通知する信号を利用して同期設定通知信号を基地局上位装置１に通知してもよい。【００６３】
このように、他の情報を通知する信号を利用して実績通知信号や同期設定通知信号を基地局装置１１から基地局上位装置１に通知することによって、基地局装置１１と基地局上位装置１との間の情報の受け渡し回数を低減することができ、ネットワークの負荷の低減及びシステムの立ち上げ時間の短縮化が実現できる。【００６４】
以上のように、本実施の形態１では、基地局装置１１での共通チャネルの設定の実績を通知する実績通知信号が基地局上位装置１に入力されると、当該基地局上位装置１からは、基地局装置１１での共通チャネルの設定に必要な情報は出力されない。したがって、共通チャネル設定に関する基地局装置１１と基地局上位装置１との間の情報の受け渡し回数を低減することができる。よって、基地局装置１１と基地局上位装置１との間の通信負荷が低減する。共通チャネル設定はセル数と同じ数だけ行う必要があることから、特にセル数が多いときには非常に効果的である。【００６５】
また、本実施の形態１のように、立ち上げ処理時において共通チャネル設定に関する基地局装置１１と基地局上位装置１との間の情報の受け渡し回数を低減することによって、基地局装置１１の立ち上げ時間を短縮することができ、移動機２１と基地局装置１１との通信を早期に再開することができる。【００６６】
また、基地局装置１１のネットワークＩＰ化を行う際には、その開発及びデバッグ作業においては、基地局装置１１あるいは基地局上位装置１に対して頻繁に電源のＯＮ／ＯＦＦあるいはリセットが行われることから、当該開発及びデバッグ作業の効率化が可能となり、またＩＰ回線のリンクが切断されたり、基地局装置１１と基地局上位装置１とを中継するハブに異常が生じた際には、復旧処理を行ってシステムの運用を再開し、基地局装置１１と移動機との接続が可能になるまでの時間が短縮できる。【００６７】
また、将来的には家庭内に基地局装置１１が配置される可能性があり、その場合には、使用者が基地局装置１１の電源を高頻度にＯＮ／ＯＦＦすることが想定され、基地局装置１１の立ち上げ時間が非常に遅いと、例えば現在のＤＶＤプレーヤの立ち上げ時間が数分必要である場合と同様に苦痛を感じることになる。したがって、基地局装置１１の立ち上げ時間の短縮は非常にメリットが大きい。【００６８】
また、特定地域で発生した停電から復旧する際には、一斉に複数の基地局装置１１が立ち上がることになるが、その際のネットワークの負荷の軽減にも有効である。【００６９】
実施の形態２．
図３，４は本発明の実施の形態２に係る通信システムの立ち上げ処理時の動作シーケンスを示す図である。本実施の形態２に係る通信システムは、上述の実施の形態１に係る通信システムにおいて立ち上げ処理における基地局上位装置１及び基地局装置１１の動作を変更したものである。以下に、図３，４を参照して本実施の形態２での立ち上げ処理について説明する。【００７０】
図３に示されるように、基地局上位装置１は、新たに電源ＯＮとなると、あるいは電源ＯＮの状態のままでリセットされると、実施の形態１と同様に、通信路設定パス接続確認信号を基地局装置１に出力し、基地局装置１１は、通信路設定パス接続確認信号を受け取ると応答信号を基地局上位装置１に出力する。これにより、基地局上位装置１及び基地局装置１１のそれぞれは、両装置間のＡＴＭリンク（またはＩＰリンク）が再度確立したことを検出することができる。【００７１】
一方で、基地局装置１１は、新たに電源ＯＮとなると、あるいは電源ＯＮの状態でリセットされると、実施の形態１と同様に、通信路設定パス接続確認信号を基地局上位装置１に出力し、基地局上位装置１は、通信路設定パス接続確認信号を受け取ると応答信号を基地局上位装置１に出力する。これにより、基地局上位装置１及び基地局装置１１のそれぞれは、両装置間のＡＴＭリンク（またはＩＰリンク）が確立したことを検出することができる。【００７２】
基地局上位装置１は、新たに電源ＯＮあるいはリセットされた後に、基地局装置１１とのリンクが確立したことを検出すると、実施の形態１と同様に、システム再開制御信号を基地局装置１１に出力する。基地局装置１１は、システム再開制御信号を受け取ると、実施の形態１と同様に、３ＧＰＰ仕様に関する設定を初期化して、基地局起動通知信号を基地局上位装置１に出力する。【００７３】
なお、基地局装置１１は、実施の形態１と同様に、基地局上位装置１からシステム再開制御信号を受け取ることなく、自主的に基地局起動通知信号を生成して出力することがある。【００７４】
基地局装置１１は、基地局起動通知信号を出力すると、立ち上げ処理部１２で個別処理通知信号を生成して、基地局上位装置１に出力する。この個別処理通知信号は、後述する個別処理の実行を通知する信号である。【００７５】
基地局上位装置１は、基地局装置１１から基地局起動通知信号を受け取ると、タイマ６を使用して所定時間内に個別処理通知信号を検出するかどうかを立ち上げ処理部２で判定する。そして、基地局上位装置１は、所定時間内に個別処理通知信号を受信せず検出できない場合には、基地局装置１１との間で後述の一括処理を実行する。一方で、基地局上位装置１は、所定時間内に個別処理通知信号を受信して検出した場合には、基地局装置１１との間で個別処理を実行する。このように、所定時間内に個別処理通知信号を検出するかどうかを判定することによって、個別処理通知信号をサポートしていない古い基地局装置１１と、当該信号をサポートしている、本実施の形態２の基地局装置１１との両方に基地局上位装置１が対応することが可能となり、既存システムへの影響を最小限に抑えることができ、システム構築の柔軟性が向上する。【００７６】
図４は個別処理及び一括処理を実行する際の基地局上位装置１及び基地局装置１１の動作シーケンスを示す図である。まず一括処理について説明する。図４に示されるように、基地局上位装置１は、個別処理通知信号を検出できなかった場合には、基地局装置１１との間で上述のノード同期手順を実行する。その後、基地局上位装置１と基地局装置１１との間で、実施の形態１で説明した共通チャネル設定シーケンスが実行される。そして、基地局上位装置１は、実施の形態１で説明したSystem Infomation Update Requestメッセージを基地局装置１１に出力し、基地局装置１１は、実施の形態１と同様に、受け取ったSystem Infomation Update Requestメッセージに基づいてＢＣＨの設定を行い、設定が完了すると、System Infomation Update Responseメッセージを基地局上位装置１に出力する。共通チャネル設定シーケンス及びＢＣＨの設定処理は、基地局装置１１が管理するセルの数と同じ回数行われる。【００７７】
基地局上位装置１は、一番最後のセルに関するSystem Infomation Update Requestメッセージを出力する際には、実施の形態１と同様に、当該System Infomation Update Requestメッセージの報知情報に、基地局装置１１と移動機２１との通信規制を解除する命令を含ませる。基地局装置１１は、基地局上位装置１から規制解除命令を含むSystem Infomation Update Requestメッセージを受信すると、図３に示されるように、移動機２１に対して、規制解除を通知する情報をＢＣＨで送信するとともにＣＰＩＣＨを送信する。これにより、移動機２１は基地局装置１１の位置登録が可能となり、基地局装置１１との通信を再開することができる。その後、基地局装置１１は、共通チャネルについての設定情報を不揮発性メモリに記憶する。【００７８】
次に個別処理について説明する。基地局装置１１は、自身が管理するセルごとに、ノード同期手順及び共通チャネル設定シーケンスを実行する際に基地局上位装置１から出力される複数種類の情報それぞれについて基地局上位装置１からの出力が必要であるか個別に立ち上げ処理部１２で判定する。つまり、立ち上げ処理部１２は、当該複数種類の情報それぞれについて基地局上位装置１からの出力が必要であるか個別に判定する判定部として機能する。そして、立ち上げ処理部１２は、その判定結果を示す必要情報リストを作成して個別処理通知信号に含めて出力する。例えば、あるセルに関して、ＦＡＣＨ及びＰＣＨに関するCommon Transport Channel Setup Requestメッセージ、ＦＡＣＨ１に関するALCAP Establish Requestメッセージ、ＦＡＣＨ２に関するALCAP Establish Requestメッセージ及びＰＣＨに関するALCAP Establish Requestメッセージの基地局上位装置１からの出力が必要であると判定されると、それらのメッセージの種類を特定する情報が、対応するセルを特定する情報と対になって必要情報リストに記載される。したがって、個別処理通知信号には、ノード同期手順と共通チャネル設定シーケンスとに関して、セルごとに、基地局上位装置１が基地局装置１１に出力する必要のある情報の種類が記載されている。当該個別処理通知信号は、出力部として機能する有線Ｉ／Ｆ部１５から基地局上位装置１に出力される。【００７９】
実施の形態１で説明したように、基地局装置１１内で高精度なクロック信号を得ることができ、かつ基地局装置１１及び基地局上位装置１の間のルータの回線が切断して両装置ともにリセットされずに動作し続けている場合には、基地局装置１１と基地局上位装置１との同期は確保されていることから、この場合には、立ち上げ処理部１２は、ノード同期手順を実行する際に基地局上位装置１から出力される情報は不要であると判定し、当該情報の種類は必要情報リストには書き込まない。一方で、基地局上位装置１または基地局装置１１が電源ＯＦＦしたりリセットされた場合などは、基地局装置１１と基地局上位装置１との同期を確立する必要があることから、立ち上げ処理部１２は、ノード同期手順を実行する際に基地局上位装置１から出力される情報は必要であると判定し、当該情報の種類を必要情報リストに書き込む。【００８０】
また、立ち上げ処理部１２は、あるセルに関するCell Setup Requestメッセージに基づいて対象の共通チャネルの設定を過去に行っており、当該共通チャネルの設定情報を記憶している場合であって、当該設定情報を記憶してからの経過時間が所定時間内であれば、当該設定情報は有効であると判定し、当該セルについてのCell Setup Requestメッセージの新たな出力は不要であると判定して、当該メッセージの種類は必要情報リストには書き込まない。一方で、立ち上げ処理部１２は、あるセルに関して、Cell Setup Requestメッセージを基地局上位装置１から過去に受け取っていない場合や、当該メッセージに基づいて対象の共通チャネルの設定を過去に行っており、その際の設定情報を記憶してからの経過時間が所定時間を超えている場合には、当該セルについての当該メッセージの基地局装置１１からの新たな出力が必要であると判定して、当該メッセージの種類を当該セルを特定する情報とともに必要情報リストに書き込む。【００８１】
ＦＡＣＨ及びＰＣＨに関するCommon Transport Channel Setup Requestメッセージなどの他のメッセージについても、Cell Setup Requestメッセージと同様にして基地局上位装置１からの出力が必要であるか否かを判定することができ、立ち上げ処理部１２は、出力が必要であると判定したメッセージの種類を、対応するセルを特定する情報とともに必要情報リストに書き込み、必要でないと判定したメッセージの種類は必要情報リストには書き込まない。【００８２】
なお、立ち上げ処理部１２において、記憶している共通チャネルの設定情報が有効か否かを判定する際に使用される上記所定時間の値は、メッセージごとに個別に設定されている。【００８３】
また、基地局装置１１が管理するセルが追加された場合には、当該新たなセルに関しては、ノード同期手順及び共通チャネル設定シーケンスを実行するのに必要な情報のすべてを基地局上位装置１から出力する必要があることから、基地局装置１１は、当該新たなセルに関してノード同期手順及び共通チャネル設定シーケンスを実行する際に基地局上位装置１から出力される情報のすべての種類を、当該新たなセルを特定する情報とともに必要情報リストに記載する。【００８４】
一方で、基地局装置１１は、自身が管理するすべてのセルに関して、ノード同期手順及び共通チャネル設定シーケンスを実行する際に基地局上位装置１から出力される情報のすべてについて出力不要と判定すると、個別処理通知信号は作成せずに基地局上位装置１には出力しない。したがって、この場合には上述の一括処理が実行される。【００８５】
このように、必要情報リストを含む個別処理通知信号を基地局上位装置１に出力することによって、基地局上位装置１は、共通チャネル設定に必要な複数種類の情報のうち、基地局装置１１側で実際に必要とされている情報のみを出力することが可能となり、共通チャネル設定に関する基地局装置と基地局上位装置との間の情報の受け渡し回数を低減することができる。よって、基地局装置と基地局上位装置との間の通信負荷が低減する。【００８６】
基地局上位装置１は、入力部として機能する有線Ｉ／Ｆ部５が個別処理通知信号を受け付けると、図４に示されるように、まず、受け付けた個別処理通知信号に記載されている必要情報リストを参照して、対象セルに関して、ノード同期手順を実行する際に基地局上位装置１に出力する情報（メッセージ）を実際に出力するかどうかを立ち上げ処理部２で判定する。つまり、当該必要情報リストに、対象セルに関して、ノード同期手順を実行する際に基地局装置１１に出力する情報の種類が記載されていれば、立ち上げ処理部１２は当該情報を出力し、基地局上位装置１と基地局装置１１との間でノード同期手順が実行される。一方で、当該必要情報リストに、対象セルに関して、ノード同期手順を実行する際に基地局装置１１に出力する情報の種類が記載されていなければ、当該情報の出力は実行されない。【００８７】
次に、基地局上位装置１は、個別処理通知信号に記載されている必要情報リストを参照して、対象セルにおけるＦＡＣＨ及びＰＣＨに関するCommon Transport Channel Setup Requestメッセージを出力するかどうかを立ち上げ処理部２で判定し、出力すると判定した場合には当該メッセージを基地局装置１１に出力し、出力しないと判定した場合には当該メッセージの出力を実行しない。基地局装置１１は、ＦＡＣＨ及びＰＣＨに関するCommon Transport Channel Setup Requestメッセージを受け取ると、ＦＡＣＨ及びＰＣＨに関するCommon Transport Channel Setup Responseメッセージを基地局上位装置１に出力する。【００８８】
同様にして、基地局上位装置１は、対象セルにおける共通チャネル設定シーケンスに関する他のメッセージのそれぞれについて、必要情報リストを参照して基地局装置１１に出力するかどうかを個別に立ち上げ処理部２で判定し、出力すると判定した場合には当該メッセージを基地局装置１１に出力し、出力しないと判定した場合には当該メッセージの出力を実行しない。基地局装置１１は、当該メッセージを受け取ると、Common Transport Channel Setup Responseメッセージなど、対応する応答メッセージを基地局上位装置１に出力する。【００８９】
次に、基地局上位装置１は、System Infomation Update Requestメッセージを基地局装置１１に出力し、基地局装置１１は、受け取ったSystem Infomation Update Requestメッセージに基づいてＢＣＨの設定を行い、設定が完了すると、System Infomation Update Responseメッセージを基地局上位装置１に出力する。【００９０】
以上の共通チャネル設定シーケンスに関する各メッセージの出力判定と、ＢＣＨの設定処理は、基地局装置１１が管理するセルの数と同じ回数行われる。【００９１】
個別処理においても、基地局上位装置１は、一番最後のセルに関するSystem Infomation Update Requestメッセージを出力する際には、当該System Infomation Update Requestメッセージの報知情報に、基地局装置１１と移動機２１との通信規制を解除する命令を含ませる。基地局装置１１は、基地局上位装置１から規制解除命令を含むSystem Infomation Update Requestメッセージを受信すると、図３に示されるように、移動機２１に対して、規制解除を通知する情報をＢＣＨで送信するとともにＣＰＩＣＨを送信する。これにより、移動機２１は基地局装置１１の位置登録が可能となり、基地局装置１１との通信を再開することができる。その後、基地局装置１１は、新たに設定した共通チャネルについての設定情報を不揮発性メモリに記憶する。【００９２】
本実施の形態２に係る個別処理通知信号は、実施の形態１の同期設定通知信号及び実績通知信号と同様に、他の信号と独立して設けても良いし、未使用ビットを使用するなどして他の信号を利用して基地局上位装置１に通知しても良い。後者の場合には、基地局装置１１と基地局上位装置１との間の情報の受け渡し回数を低減することができ、ネットワークの負荷の低減及びシステムの立ち上げ時間の短縮化が実現できる。【００９３】
以上のように、本実施の形態２に係る通信システムでは、基地局装置１１は、複数種類の共通チャネルを設定する際に必要な、基地局上位装置１から出力される複数種類の情報のそれぞれについて、当該基地局上位装置からの出力が必要であるか否かを立ち上げ処理部１２で判定し、当該複数種類の情報のうち基地局上位装置１からの出力が必要である情報の種類を通知する個別処理通知信号を、基地局上位装置１に有線Ｉ／Ｆ部１５から出力している。そして、基地局上位装置１は、基地局装置１１から出力される個別処理通信号を有線Ｉ／Ｆ部５で受け付けて、当該個別処理通知信号中の必要情報リストに基づいて、基地局装置１１で共通チャネルの設定に必要な複数種類の情報のそれぞれについて出力するか否かを立ち上げ処理部２で個別に判定している。したがって、基地局上位装置１は、共通チャネル設定に必要な複数種類の情報のうち、基地局装置１１側で実際に必要とされてる情報のみを基地局装置１１に出力することができる。よって、共通チャネル設定に関する基地局装置１１と基地局上位装置１との間の情報の受け渡し回数を低減することができ、その結果、基地局装置１１と基地局上位装置１との間の通信負荷が低減する。【００９４】
本実施の形態２のように、立ち上げ処理時において共通チャネル設定に関する基地局装置１１と基地局上位装置１との間の情報の受け渡し回数を低減することによって、基地局装置１１の立ち上げ時間を短縮することができ、移動機２１と基地局装置１１との通信を早期に再開することができる。【００９５】
また、基地局装置１１が管理するセルが新たに追加された場合であっても、個別処理通知信号の必要情報リストには当該セルに関する記載が掲載されているため、基地局装置１１を運営した状態でシステムの拡張が可能となる。【００９６】
なお、上述の例では、基地局装置１１は、ノード同期手順及び共通チャネル設定シーケンスを実行する際に基地局上位装置１から出力される複数種類の情報それぞれについて基地局上位装置１からの出力が必要であるか個別に判定し、その結果を示す必要情報リストを作成していたが、当該複数種類の情報それぞれについて基地局上位装置１からの出力が不必要であるか個別に判定し、その結果を示す不必要情報リストを作成してもよい。つまり、ノード同期手順と共通チャネル設定シーケンスとに関して、基地局上位装置１が基地局装置１１に出力する必要のない情報の種類を個別処理通知信号に記載しても良い。この場合であっても、基地局上位装置１は、受信した個別処理通知信号に記載されている不必要情報リストを参照して、ノード同期手順や共通チャネル設定シーケンスを実行する際に必要な情報を出力するかどうかを判定することができ、同様の効果を得ることができる。【００９７】
また、上述の例では、基地局装置１１は、共通チャネルの設定情報を不揮発性メモリに記憶していたが、揮発性メモリに記憶しても良い。この場合には、基地局装置１１が電源ＯＦＦとなると記憶する設定情報は消えてしまうため、基地局装置１１は、再度、共通チャネル設定に必要な情報を基地局上位装置１から受け取る必要があるが、基地局装置１１が電源ＯＮのままでリセットされた場合には、上述と同じ動作を実現できるため同様の効果を生じる。共通チャネルの設定情報を揮発性メモリに記憶する場合には、当該設定情報にＣＲＣ符号を付与して記憶し、基地局装置１１と基地局上位装置１との間のリンクが確立した後に、当該設定情報に対してＣＲＣチェックを行い、その正当性を確認することが望ましい。【００９８】
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
0004620774.tif 000002
【図２】
0004620774.tif 000003
【図３】
0004620774.tif 000004
【図４】
0004620774.tif 000005